(57)【要約】      （修正有）【課題】リッドの支持体に対するがた付きを抑制する、ロック機構を提供する。【解決手段】インストルメントパネル３の開口２を閉じるリッド４を有するグローブボックス１のロック機構５であって、インストルメントパネルに設けられたロック孔と、第１位置及び第２位置の間で変位可能に支持され、第１位置においてロック孔に係止されると共に、伸縮可能であり、ピン付勢部材によって伸びた状態に付勢されたロックピン２８と、リッドに設けられ、リッドが閉位置近傍にあるときに傾斜面１８Ａに当接し、ロックピンを第１位置に変位させるスライダ２７と、リッドに変位可能に設けられた操作部２２と、操作部の変位に応じて変位し、第１位置にあるロック部材をピン付勢部材の付勢力に抗して縮め、ロック部材をロック孔から離脱させるリンク部材２３とを有するようにした。【選択図】図１
2015059312.tif 000002
【特許請求の範囲】
【請求項１】
開口が形成された支持体と、前記開口を開閉するべく、前記支持体に回動可能に設けられたリッドとを有する収納装置に設けられ、前記開口を閉じる閉位置に前記リッドを維持するロック機構であって、
前記支持体に設けられた係止部と、
前記リッドに突出した第１位置及び没入した第２位置の間で変位可能に支持され、前記第１位置において前記係止部に係止されると共に、伸縮可能であり、第１付勢部材によって伸びた状態に付勢されたロック部材と、
前記リッドに設けられ、前記リッドが閉位置近傍にあるときに前記開口の縁部に当接して変位し、前記ロック部材を前記第１位置に変位させる力伝達手段と、
前記リッドに変位可能に設けられた操作部と、
操作による前記操作部の変位に応じて変位し、前記第１位置にある前記ロック部材を前記第１付勢部材の付勢力に抗して縮め、前記ロック部材を前記係止部から離脱させるリンク部材とを有することを特徴とするロック機構。
【請求項２】
前記力伝達手段は、前記リッドから前記開口側に突出した第３位置と前記リッドに没入した第４位置との間で変位可能に前記リッドに支持されたスライダと、前記リッドと前記スライダとの間に設けられ、前記スライダを前記第３位置に付勢する第２付勢部材とを有し、
前記リッドが閉位置に変位すると、前記スライダが前記開口の縁部に当接し、前記第２付勢部材の付勢力に抗して前記第４位置側に変位することを特徴とする請求項１に記載のロック機構。
【請求項３】
前記スライダは、第１カム部を有し、前記第１カム部において前記ロック部材と摺接し、
前記スライダが前記第３位置にあるときに前記ロック部材は前記第２位置にあり、前記スライダが前記第４位置側に変位することによって、前記ロック部材が前記第１位置側に変位することを特徴とする請求項２に記載のロック機構。
【請求項４】
前記ロック部材は、前記スライダの前記第１カム部と摺接する基端部材と、前記基端部材と所定の範囲で変位可能に係合した先端部材とを有し、前記第１付勢部材は前記基端部材と前記先端部材との間に設けられ、前記ロック部材の長さが長くなる方向に付勢することを特徴とする請求項３に記載のロック機構。
【請求項５】
前記先端部材は、凸部を有し、
前記リンク部材は、前記ロック部材が前記第１位置にあるときに前記凸部に係合可能な第２カム部を有し、
前記ロック部材が前記第１位置にあるときに、前記リンク部材が変位することによって、前記第２カム部に前記凸部が押され、前記ロック部材が縮むことを特徴とする請求項４に記載のロック機構。
【請求項６】
前記開口の縁部は、前記開口の中央側かつ外方側を向く傾斜面を有し、
前記スライダは、前記傾斜面において前記開口の縁部に当接することを特徴とする請求項２〜請求項４のいずれか１つの項に記載のロック機構。
【発明の詳細な説明】
【技術分野】
【０００１】
本発明は、開口を開閉するリッドを閉位置に維持するロック機構に関する。
【背景技術】
【０００２】
自動車のインストルメントパネルに設けられるグローブボックスにおいて、リッドを閉位置に維持するロック機構が設けられている（例えば、特許文献１）。特許文献１に係るロック機構は、開口が形成されたインストルメントパネル（支持体）と、インストルメントパネルに回動自在に支持されたリッドとの間に設けられている。ロック機構は、インストルメントパネルに形成されたロック孔と、リッドに設けられたラッチとを有する。ラッチは、圧縮コイルばねの付勢力によってリッドから突出し、ロック孔に係合する。また、ラッチは、リッドに設けられた操作ハンドルの回動に応じて回転するカム部材によって、圧縮コイルばねの付勢力に抗して移動し、ロック孔から離脱可能になっている。このように、ロック機構は、操作ハンドルの操作によって進退するラッチと、ロック孔との係合によってリッドを閉位置に維持している。
【０００３】
しかしながら、特許文献１に係るロック機構は、ラッチとロック孔との隙間に起因してリッドがインストルメントパネルに対してがた付くという問題がある。また、リッドの回動軸に起因するスラスト方向及びラジアル方向のがた付きも生じるという問題がある。
【０００４】
以上のような問題に対し、リッドとインストルメントパネルとの間に付勢装置を介装し、リッド及びインストルメントパネル間のがた付きを解消したものがある（例えば、特許文献２）。特許文献２に係る付勢装置は、リッドの側面に設けられるベースと、ベースに回動可能に連結された当接体と、ベース及び当接体の間に設けられた捻りコイルばねとを有し、捻りコイルばねに付勢された当接体がインストルメントパネルに摺接することによって、リッド及びインストルメントパネル間のがた付きが抑制される。
【先行技術文献】
【特許文献】
【０００５】
【特許文献１】特許第３８１１６２６号公報
【特許文献２】特開２０１０−２１５１０２号公報
【発明の概要】
【発明が解決しようとする課題】
【０００６】
しかしながら、リッドとインストルメントパネルとのがた付きを解消するために、特許文献２のような別部材である付勢装置を設けると、部品点数が増加するという問題がある。また、リッドに付勢装置を配置するためのスペースを確保すると共に、インストルメントパネルに付勢装置が摺接可能な部分を確保しなければならないという問題がある。
【０００７】
本発明は、以上の背景を鑑み、開口を開閉するリッドを閉位置に維持するロック機構において、独立した他の部品を設けることなく、リッドの支持体に対するがた付きを抑制することを課題とする。
【課題を解決するための手段】
【０００８】
上記課題を解決するために、本発明は、開口（２）が形成された支持体（３）と、前記開口を開閉するべく、前記支持体に回動可能に設けられたリッド（４）とを有する収納装置（１）に設けられ、前記開口を閉じる閉位置に前記リッドを維持するロック機構（５）であって、前記支持体に設けられた係止部（１７）と、前記リッドに突出した第１位置及び没入した第２位置の間で変位可能に支持され、前記第１位置において前記係止部に係止されると共に、伸縮可能であり、第１付勢部材（５３）によって伸びた状態に付勢されたロック部材（２８）と、前記リッドに設けられ、前記リッドが閉位置近傍にあるときに前記開口の縁部（１５、１８Ａ）に当接して変位し、前記ロック部材を前記第１位置に変位させる力伝達手段（２７）と、前記リッドに変位可能に設けられた操作部（２２、６２）と、操作による前記操作部の変位に応じて変位し、前記第１位置にある前記ロック部材を前記第１付勢部材の付勢力に抗して縮め、前記ロック部材を前記係止部から離脱させるリンク部材（２３）とを有することを特徴とする。
【０００９】
この構成によれば、リッドが閉位置近傍にあるときに、ロック部材を駆動する力伝達部材が開口の縁部に当接するため、リッドが支持体に対して所定の位置に配置され、リッドと支持体との面差が抑制される。また、支持体に対するリッドのがた付きが抑制される。また、力伝達部材によってロック部材が第１位置に変位した後は、リンク部材がロック部材を縮められることによって係止部から離脱し、リッドの開閉が可能になる。
【００１０】
上記の発明において、前記力伝達手段は、前記リッドから前記開口側に突出した第３位置と前記リッドに没入した第４位置との間で変位可能に前記リッドに支持されたスライダ（２７）と、前記リッドと前記スライダとの間に設けられ、前記スライダを前記第３位置に付勢する第２付勢部材（２９）とを有し、前記リッドが閉位置に変位すると、前記スライダが前記開口の縁部に当接し、前記第２付勢部材の付勢力に抗して前記第４位置側に変位するとよい。
【００１１】
この構成によれば、スライダが第２付勢部材によって付勢されているため、リッドが支持体に対して所定の位置により一層配置されるようになる。また、支持体に対するリッドのがた付きがより一層抑制される。
【００１２】
上記の発明において、前記スライダは、第１カム部（４４）を有し、前記第１カム部において前記ロック部材と摺接し、前記スライダが前記第３位置にあるときに前記ロック部材は前記第２位置にあり、前記スライダが前記第４位置側に変位することによって、前記ロック部材が前記第１位置側に変位するとよい。
【００１３】
この構成によれば、簡素な構成で、スライダの変位に応じてロック部材を変位させることができる。
【００１４】
上記の発明において、前記ロック部材は、前記スライダの前記第１カム部と摺接する基端部材（５２）と、前記基端部材と所定の範囲で変位可能に係合した先端部材（５１）とを有し、前記第１付勢部材は前記基端部材と前記先端部材との間に設けられ、前記ロック部材の長さが長くなる方向に付勢するよい。
【００１５】
この構成によれば、ロック部材は伸縮可能になる。
【００１６】
上記の発明において、前記先端部材は、凸部（５７）を有し、前記リンク部材は、前記ロック部材が前記第１位置にあるときに前記凸部に係合可能な第２カム部（７１）を有し、前記ロック部材が前記第１位置にあるときに、前記リンク部材が変位することによって、前記第２カム部に前記凸部が押され、前記ロック部材が縮むとよい。
【００１７】
この構成によれば、第１位置において、リンク部材によってロック部材は縮むことが可能になり、係止部から離脱できるようになる。
【００１８】
上記の発明において、前記開口の縁部は、前記開口の中央側かつ外方側を向く傾斜面（１８Ａ）を有し、前記スライダは、前記傾斜面において前記開口の縁部に当接するとよい。
【００１９】
この構成によれば、傾斜面が開口の中央側かつ外側を向くため、傾斜面に当接するスライダが設けられたリッドは、開口の中央側かつ外側に付勢され、がた付きが抑制される。
【発明の効果】
【００２０】
以上の構成によれば、開口を開閉するリッドを閉位置に維持するロック機構において、独立した他の部品を設けることなく、リッドの支持体に対するがた付きを抑制することができる。
【図面の簡単な説明】
【００２１】
【図１】グローブボックスの分解斜視図
【図２】ロック機構の正面図
【図３】ロック機構の平面図
【図４】ロック機構の操作部を示す斜視図（操作部ハウジングを省略して示す）
【図５】ロック機構の作動部を後方から見た斜視図
【図６】ロック機構の作動部を前方から見た斜視図
【図７】作動部ハウジングを透視して作動部を後方から見た斜視図
【図８】ロックピンの分解斜視図
【図９】インストルメントパネルの開口縁の一部を示す斜視図
【図１０】ロック機構の作動部とインストルメントパネルの開口縁との位置関係を示す断面図
【図１１】リッドを閉じる際の第１状態におけるロック機構の作動を示す断面図（図１０のＡ−Ａ断面に相当する）
【図１２】リッドを閉じる際の第１状態におけるロック機構の作動を示す断面図（図１０のＢ−Ｂ断面に相当し、作動部ハウジングを省略して示す）
【図１３】リッドを閉じる際の第２状態におけるロック機構の作動を示す断面図（図１０のＡ−Ａ断面に相当する）
【図１４】リッドを閉じる際の第２状態におけるロック機構の作動を示す断面図（図１０のＢ−Ｂ断面に相当し、作動部ハウジングを省略して示す）
【図１５】リッドを閉じる際の第３状態におけるロック機構の作動を示す断面図（図１０のＡ−Ａ断面に相当する）
【図１６】リッドを閉じる際の第３状態におけるロック機構の作動を示す断面図（図１０のＢ−Ｂ断面に相当し、作動部ハウジングディを省略して示す）
【図１７】リッドを閉じる際のロック機構の作動を示す断面図（図１０のＡ−Ａ断面に相当する）
【図１８】リッドを閉じる際のロック機構の作動を示す断面図（図１０のＢ−Ｂ断面に相当し、作動部ハウジングを省略して示す）
【発明を実施するための形態】
【００２２】
以下、図面を参照して、本発明を自動車のグローブボックスのロック機構に適用した実施形態を詳細に説明する。以下の説明では、図１に示す座標軸に基づいて各方位を定める。
【００２３】
図１は、グローブボックスの分解斜視図である。図１に示すように、収納装置であるグローブボックス１は、後方に向けて開口２が形成されたインストルメントパネル（支持体）３と、インストルメントパネル３に回動可能に支持され、開口２を開閉するリッド４と、リッド４とインストルメントパネル３の間に設けられ、インストルメントパネル３に対して、リッド４が開口２を閉じた閉位置に維持するロック機構５とを有する。
【００２４】
リッド４は、互いに接合された表部材１１と裏部材１２とを有する。裏部材１２は、略四角形状に形成された板状部１２Ａと、板状部１２Ａの周縁に沿って表側に立設された上側壁１２Ｂ、左右の側壁１２Ｃ、下側壁（不図示）とを有し、浅い皿状に形成されている。表部材１１は、略四角形に形成された板状をなし、裏部材１２の各側壁１２Ｂ、１２Ｃの突出端に接合される。これにより、リッド４は表部材１１と裏部材１２との間に内部空間を形成する。裏部材１２の左右の側壁１２Ｂの下部のそれぞれには、左右方向に突出する支持軸１４が互いに同軸に形成されている。各支持軸１４がインストルメントパネル３に形成された軸受孔（不図示）に支持されることによって、リッド４はインストルメントパネル３に回動可能に支持される。
【００２５】
インストルメントパネル３の開口２は、閉位置にあるリッド４を受容可能に略四角形に形成されている。開口２の縁部１５には、閉位置にあるリッド４の上側壁１２Ｂと所定の隙間をおいて対向する上壁１５Ａと、左右の側壁１２Ｂと所定の隙間をおいて対向する横壁１５Ｂとが形成されている。左右の横壁１５Ｂの開口端から奥側に所定の距離変位した部分には、開口２の中央側に突出すると共に、上下に延在する規制壁１５Ｃが設けられている。規制壁１５Ｃは、開口２の外方を向く側面を有している。
【００２６】
図９は、インストルメントパネルの開口縁の一部を示す斜視図である。図９に示すように、上壁１５Ａの左右両端部には、上方へと凹設されたロック孔（係止部）１７が形成されている。ロック孔１７は、貫通孔及び有底孔のいずれでもよい。図１及び図９に示すように、左右の横壁１５Ｂと規制壁１５Ｃとの境界部には、横壁１５Ｂと規制壁１５Ｃと連結するリブ１８が突設されている。リブ１８は、上下方向から見て略直角三角形に形成され、上下方向に厚みを有する。リブ１８は、直角三角形の斜辺に相当する部分に、開口２の中央側（左右方向における中央側）かつ開口２の外側（後方）を向く傾斜面１８Ａを有している。傾斜面１８Ａに直交する直線は、平面視において、開口２の軸線方向（前後方向）に対して０°より大きく９０°より小さい所定の角度を有している。
【００２７】
図２はロック機構の正面図であり、図３はロック機構の平面図である。図２及び図３に示すように、ロック機構５は、インストルメントパネル３のロック孔１７と係合する左右一対の作動部２１と、人の手等によって操作される操作部２２と、操作部２２の操作入力を左右一対の作動部２１に伝達する左右一対のリンク部材２３とを有している。以下の説明では、リッド４が閉位置にある状態を基準として、各部材の上下、前後を規定する。作動部２１、操作部２２、及びリンク部材２３はリッド４の内部空間内において裏部材１２に設けられている。作動部２１は、裏部材１２の表側面の上部かつ左右方向における中央部に設けられている。左右一対の作動部２１は、裏部材１２の表側面の上部かつ左右方向における左端部及び右端部に設けられている。
【００２８】
左右一対の作動部２１は、左右対称形をなすため、代表して右側の作動部２１について以下に説明する。図５はロック機構の作動部を後方から見た斜視図であり、図６はロック機構の作動部を前方から見た斜視図であり、図７は作動部ハウジングを透視して作動部を後方から見た斜視図である。図５〜図７に示すように、作動部２１は、作動部ハウジング２６と、スライダ（力伝達手段）２７と、ロックピン２８（ロック部材）と、スライダ付勢部材（第２付勢部材）２９とを有している。作動部ハウジング２６は、複数の締結座３１を有し、ボルトやねじ等によって裏部材１２の表側面に締結される。
【００２９】
作動部ハウジング２６には、ロックピン２８を受容するピン孔３２と、スライダ２７を受容するスライダ孔３３とが形成されている。ピン孔３２は、上下方向に延び、上端が作動部ハウジング２６の上端部に開口している。スライダ孔３３は、左右に傾斜して前後方向に対して延び、その前端が作動部ハウジング２６の前端部に開口し、その後端が作動部ハウジング２６の後端部に開口している。スライダ孔３３は、その前端が後端よりも右方に配置されるように、前後方向に対して左右に傾斜している。ピン孔３２の下端は、スライダ孔３３の前後方向における中間部に連通している。作動部ハウジング２６は、その上端部が裏部材１２の上側壁１２Ｂと対向し、その前端部が裏部材１２の板状部１２Ａと対向し、その右端部が裏部材１２の右の側壁１２Ｂと対向している。裏部材１２の上側壁１２Ｂは、ピン孔３２の上端と対応する部分に第１貫通孔３５を有する。また、裏部材１２の板状部１２Ａは、スライダ孔３３の前端と対応する部分に第２貫通孔３６を有する。裏部材１２の板状部１２Ａの第２貫通孔３６は、右方に延び、右端が右の側壁１２Ｂ内に延びている。
【００３０】
スライダ２７は、スライダ孔３３にスライド移動可能に支持され、前右方向及び後左方向に移動可能になっている。スライダ２７は、ストッパ（不図示）を有し、ストッパが作動部ハウジング２６に当接することによって、前右方向への移動が所定位置で規制されている。すなわち、スライダ２７は、ストッパによって、作動部ハウジング２６に対する前端位置が定められている。スライダ２７は、前端位置において、その前端部３８がスライダ孔３３の前端開口及び裏部材１２の第２貫通孔３６を通過して裏部材１２よりも前方に突出する。スライダ２７の前端部３８は面取りがなされ、滑らかな曲面に形成されている。
【００３１】
スライダ２７の左右の側部には前後に延在するガイドリブ４１が突設されている。スライダ孔３３の孔壁には、ガイドリブ４１を受容するガイド溝４２が形成されている。ガイドリブ４１とガイド溝４２との係合によって、スライダ２７のスライダ孔３３に対する姿勢が安定する。
【００３２】
作動部ハウジング２６の下部には、スライダ孔３３に連通するばね収容部４３が形成されている。ばね収容部４３は、上下に延びる凹部であり、上端がスライダ孔３３に連通している。ばね収容部４３には、捩じりコイルばねであるスライダ付勢部材２９が収容されている。スライダ付勢部材２９は、一端がばね収容部４３の壁部に係合し、他端がスライダ孔３３内に延びスライダ２７に係合している。スライダ２７は、スライダ付勢部材２９によって前右側に付勢され、初期状態において前端位置に位置する。
【００３３】
図７に示すように、スライダ２７の後部には、スライダ側カム部（第１カム部）４４が形成されている。スライダ側カム部４４は、前右に進むほど上方に進むように傾斜した傾斜板４６を有している。傾斜板４６には、上下に貫通すると共に、スライダ２７の長手方向（前右方）に延びるスリット４７が形成されている。スリット４７の後端は、スライダ２７の後端部に至り、開口端となっている。
【００３４】
図８は、ロックピンの分解斜視図である。図８に示すように、ロックピン２８は、一端が開口し、他端が閉じられた筒状の先端部材５１と、先端部材５１に進退可能に受容された棒状の基端部材５２と、先端部材５１の内部において、先端部材５１と基端部材５２との間に設けられた圧縮コイルばねであるピン付勢部材（第１付勢部材）５３とを有する。ピン付勢部材５３は、先端部材５１に対して基端部材５２が突出する方向に付勢する。基端部材５２は、ストッパ（不図示）を有し、ストッパが先端部材５１に係止されることによって、先端部材５１に対する突出位置が定められている。すなわち、ロックピン２８は、伸縮可能であり、ピン付勢部材５３によって最も延びた状態に付勢されている。基端部材５２の突出端には、係止片５４が突設されている。係止片５４は、先端部がＬ字状に屈曲されたフック状に形成されている。
【００３５】
図５〜図７に示すように、ロックピン２８は、先端部材５１が上側、基端部材５２が下側となるように、ロック孔１７に受容される。ロックピン２８がロック孔１７に受容された状態で、基端部材５２の突出端（下端）は、スライダ２７のスライダ側カム部４４の傾斜板４６に当接する。基端部材５２の突出端に形成された係止片５４は、スライダ２７のスリット４７を通過し、下面側からスリット４７の縁部と係合する。これにより、ロックピン２８はスライダ２７に係止され、ロック孔１７からの抜け出しが抑制される。また、基端部材５２の突出端と傾斜板４６との係合、及び係止片５４とスリット４７の縁部（傾斜板４６）との係合によって、スライダ２７の前後方向へのスライド移動に応じて、ロックピン２８は上下に移動する。スライダ２７が前端位置に位置するとき、ロックピン２８の基端部材５２は最も下方の下端位置に位置する。この状態から、スライダ２７が後方に移動すると、傾斜板４６に基端部材５２の突出端が押され、第２部材は上方に移動する。すなわち、スライダ２７が後方に移動すると、スライダ側カム部４４と基端部材５２との係合によってロックピン２８は上方に移動する。基端部材５２の係止片５４が、スリット４７の前端の縁部に係止されるとき、基端部材５２は最も上方の上端位置に位置する。
【００３６】
図６に示すように、作動部ハウジング２６は、その前部からピン孔３２の下部に貫通する露出孔５６を有する。露出孔５６によってロックピン２８の先端部材５１の前側面の下部が作動部ハウジング２６の外側に露出している。図１０は、ロック機構の作動部とインストルメントパネルの開口縁との位置関係を示す断面図である。図１０に示すように、先端部材５１の前面の下部には、前方に突出する円柱状の係止凸部５７が設けられている。係止凸部５７に対して露出孔５６は上下に大きく、係止凸部５７は露出孔５６内を上下に移動可能になっている。
【００３７】
図４は、ロック機構の操作部を示す斜視図（操作部ハウジングを省略して示す）である。図１〜図４に示すように、操作部２２は、裏部材１２の後面に接合された操作部ハウジング６１と、操作部ハウジング６１に回動可能に支持されたレバー（ハンドル）６２とを有している。レバー６２は、その上部に左右方向に延在する回動軸を有し、下端が遊端となっている。レバー６２と操作部ハウジング６１との間には捩じりコイルばねであるレバー付勢部材６５が介装され、レバー６２は遊端が裏部材１２側（前側）に接近する初期位置に付勢されている。表部材１１はレバー６２に対応する部分に貫通孔であるレバー孔６３を有する。レバー６２は、レバー孔６３を通してリッド４の後方に露出しており、操作者はレバー孔６３を通してレバー６２を把持可能になっている。レバー６２には、柱状に突出した凸部である左右一対の押圧片６４が形成されている。
【００３８】
左右一対のリンク部材２３は、それぞれ左右方向に延びる部材であり、互いに対称形に形成されている。右のリンク部材２３の左端部は、左右方向に沿って所定の範囲で変位可能に操作部ハウジング６１に支持されている。同様に、左のリンク部材２３の右端部は、左右方向に沿って所定の範囲で変位可能に操作部ハウジング６１に支持されている。右のリンク部材２３は、ストッパ（不図示）を有し、このストッパが操作部ハウジング６１に当接することによって、右方への移動が所定位置で制限されている。同様に、左のリンク部材２３は、ストッパ（不図示）を有し、このストッパが操作部ハウジング６１に当接することによって、左方への移動が所定位置で制限されている。左右のリンク部材２３の間には捩じりコイルばねであるリンク付勢部材６６が介装されており、左右のリンク部材２３は互いに離間する方向に付勢されている。これにより、通常時には、右のリンク部材２３は変位可能な範囲内で最も右側に位置し、左のリンク部材２３は変位可能な範囲内で最も左側に位置する。
【００３９】
図４に示すように、右側のリンク部材２３の左端部、及び左側のリンク部材２３の右端部には、それぞれ傾斜面である第１リンク側カム部６８が形成されている。それぞれの第１リンク側カム部６８には、レバー６２の押圧片６４が当接可能になっている。操作者の操作によって、レバー６２が捩じりコイルばねの付勢力に抗して初期位置から回動すると、左右の押圧片６４は左右のリンク部材２３の第１リンク側カム部６８をそれぞれ押す。各第１リンク側カム部６８は、押圧片６４によって加えられる荷重を、各リンク部材２３が互いに近付く方向の荷重に変換する。これにより、レバー６２の回動に応じて、各リンク部材２３はリンク付勢部材６６の付勢力に抗して互いに近付く方向、すなわち左右方向における中央側に移動する。すなわち、レバー６２の初期位置からの回動に応じて、右のリンク部材２３は左方に移動し、左のリンク部材２３は右方に移動する。レバー６２が初期位置側に回動すると、押圧片６４が後退し、リンク付勢部材６６の付勢力によって右のリンク部材２３は右方に移動し、左のリンク部材２３は左方に移動する。
【００４０】
図６及び後述する図１２に示すように、右のリンク部材２３の右端部の後面には前方に凹設された有底のカム溝である第２リンク側カム部（第２カム部）７１が形成されている。第２リンク側カム部７１は、下部がリンク部材２３の下端に開口している。第２リンク側カム部７１の右部は、面が左方かつ下方を向くカム面７２が形成されている。ロックピン２８が下端位置にあるときには、係止凸部５７は、第２リンク側カム部７１の下方に位置している。ロックピン２８が下端位置から上端位置に移動することによって、係止凸部５７は第２リンク側カム部７１内に移動する。ロックピン２８が上端位置にあるときには、係止凸部５７は第２リンク側カム部７１内においてカム面７２の上端近傍に位置する。これにより、ロックピン２８が上端位置にあるときに、右のリンク部材２３が左方に移動すると、カム面７２は係止凸部５７を下方に押し、先端部材５１は圧縮コイルばねの付勢力に抗して基端部材５２側に変位する。基端部材５２は、スライダ２７と係合し、位置がスライダによって規制されているため、先端部材５１が基端部材５２側に変位することによって、ロックピン２８が通常時の長さよりも収縮する。右のリンク部材２３が再び右方に移動すると、カム面７２が係止凸部５７から離れるため、ピン付勢部材５３の付勢力によってロックピン２８は伸び、通常の長さに戻る。
【００４１】
このように、ロックピン２８が上端位置にあるときには、レバー６２の操作によってロックピン２８が収縮する。一方、ロックピン２８が下端位置にあるときには、係止凸部５７が第２リンク側カム部７１の係止面と離れているため、レバー６２を操作してもロックピン２８は伸縮せず、通常時の長さを維持する。
【００４２】
左のリンク部材２３には、右のリンク部材２３の第２リンク側カム部７１と左右対称形となり、同様の機能を奏する第２リンク側カム部７１が設けられている。
【００４３】
次に図１１〜図１８を参照して、リッド４を開閉する際のロック機構５の作動を説明する。図１１〜図１６は、リッド４を閉じる際の各状態におけるロック機構５の作動部２１を示す断面図である。図１７、図１８は、グローブボックスを開く際のロック機構５の作動部２１を示す断面図である。
【００４４】
図１１に示すように、リッド４が閉位置に到達しておらず、かつスライダ２７がリブ１８から離れた状態、すなわちリッド４が開かれた状態（第１状態）では、スライダ付勢部材２９に付勢されたスライダ２７は前端位置に位置する。これにより、スライダ２７のスライダ側カム部４４に係合したロックピン２８は下端位置に位置する。ロックピン２８は、圧縮コイルばねに付勢されて伸張状態にあり、その上端面は裏部材１２の上側壁１２Ｂの上面と略面一となる位置に配置される。このとき、図１２に示すように、ロックピン２８の係止凸部５７は、リンク部材２３の第２リンク側カム部７１から離脱した位置に配置され、カム面７２から離れている。そのため、レバー６２が操作され、リンク部材２３が左右に移動しても係止凸部５７はカム面７２と当接することはない。
【００４５】
図１１及び図１２に示す第１状態からリッド４の閉方向への移動が進み、スライダ２７の前端部３８がリブ１８に当接すると、図１３及び図１４に示す第２状態になる。図１３に示すように、第２状態では、スライダ２７の前端がリブ１８の傾斜面１８Ａに当接しているため、リッド４が閉方向（前方）に移動すると、スライダ２７はスライダ付勢部材２９の付勢力に抗してスライダ孔３３内を後方に移動する。これにより、スライダ２７のスライダ側カム部４４に係合したロックピン２８は下端位置から上方に移動し、その上端をなす先端部材５１は裏部材１２の上面よりも上方に突出する。ロックピン２８（基端部材５２）の上方への移動が進むと、第１部材の上端面は上壁１５Ａに当接するようになる。このとき、リッド４は未だ閉位置に到達していないため、先端部材５１はロック孔１７と正対しておらず、ロック孔１７内に突入することはできない。基端部材５２の上方への移動が進むと、ピン付勢部材５３が収縮し、ロックピン２８は収縮する。これにより、リッド４の閉位置への移動に応じて、ピン付勢部材５３に付勢された先端部材５１は上壁１５Ａとの接触を維持しつつ、上壁１５Ａ上を摺動する。図１４に示すように、第２状態では、先端部材５１に設けられた係止凸部５７は、上方に移動し、第２リンク側カム部７１内に進入する。
【００４６】
図１３及び図１４に示す第２状態からリッド４の閉方向への移動が更に進むと、図１５及び図１６に示す第３状態になる。図１５に示すように、リッド４が閉位置に到達すると、ロックピン２８の先端部材５１とロック孔１７とが正対し、ピン付勢部材５３に付勢された先端部材５１は伸張し、ロック孔１７に突入する。このように、ロックピン２８がロック孔１７に係止されることによって、リッド４は閉位置に維持される。図１６に示すように、ロックピン２８の先端部材５１がロック孔１７内に突入すると、先端部材５１に設けられた係止凸部５７は、第２リンク側カム部７１内を上方に移動し、カム面７２の上端近傍に配置される。
【００４７】
第３状態では、スライダ付勢部材２９に付勢されたスライダ２７がリブ１８の傾斜面１８Ａに当接しているため、リッド４のインストルメントパネル３に対するがた付きが抑制される。左右一対の傾斜面１８Ａは、開口２の中央側（左右方向における中央側）かつ開口２の外方（後方）を向いているため、スライダ２７及びスライダ付勢部材２９によって、リッド４は開口２の中央側かつ開口２の外方に付勢される。これにより、リッド４の支持軸１４とインストルメントパネル３の軸受孔との間のがた（隙間）に起因する支持軸１４のラジアル方向へのがた付き、リッド４と開口２の左右方向におけるがた（隙間）に起因する支持軸１４のスラスト方向へのがた付き、ロックピン２８の先端部材５１とロック孔１７のがた（隙間）に起因する支持軸１４の回転方向へのがた付きが抑制される。
【００４８】
ロック機構５によってリッド４が閉位置に維持された第３状態から、ロック機構５による係合を解除するには、レバー６２を操作する。操作者がレバー６２の遊端を把持し、後方に引くと、レバー６２は回動し、左右一対の押圧片６４が左右のリンク部材２３の第１リンク側カム部６８を押す。これにより、左右のリンク部材２３は、レバー付勢部材６５の付勢力に抗して左右方向における中央側、すなわち互いに近接する方向に移動する。右のリンク部材２３が左に移動すると、図１８に示すように、第２リンク側カム部７１のカム面７２にロックピン２８の係止凸部５７が当接する。そして、第２リンク側カム部７１の右への移動に応じて、係止凸部５７がカム面７２上を摺動して下方に移動する。左のリンク部材２３及び作動部２１についても同様である。これにより、図１７及び図１８に示すように、先端部材５１が下方に移動してロック孔１７から離脱し、リッド４を開くことが可能になる。
【００４９】
リッド４を閉位置から開くと、スライダ付勢部材２９の付勢力によってスライダ２７は前右方向に突出し、スライダ２７に基端部材５２において係合するロックピン２８は下方に移動する。これにより、ロック機構５は、図１１及び図１２に示す第１状態に復帰する。
【００５０】
本実施形態に係るグローブボックス１では、ロックピン２８を駆動するスライダ２７が、リッド４の閉位置において常に開口２の縁部１５に係合し、リッド４と縁部１５との間にスライダ付勢部材２９の付勢力が作用するため、リッド４のインストルメントパネル３に対するがた付きが抑制される。スライダ２７はリブ１８との当接によって移動し、ロックピン２８を駆動するため、リッド４の位置に応じてロックピン２８は駆動されることになる。これにより、ロックピン２８は、リッド４が開位置にある場合にはリッド４の外方に突出しないため、リッド４を閉じる際にロックピン２８が開口２の開口端に引っ掛かることがない。また、リッド４が開かれた状態では、ロックピン２８がリッド４内に収納されるため、リッド４の意匠性が向上する。
【００５１】
本実施形態に係るグローブボックス１では、スライダ２７がリッド４のがた付きを抑制するため、別部材としてリッド４及びインストルメントパネル３の間にリッド４を所定の方向に付勢する部材を設けなくてよい。
【００５２】
以上で具体的実施形態の説明を終えるが、本発明は上記実施形態に限定されることなく幅広く変形実施することができる。例えば、リッド４は、裏部材１２の前側にバスケット（箱部材）が接合されていてもよい。バスケットは、リッド４が閉位置にあるときには全体が開口２内に収容され、リッド４が開位置にあるときには一部が開口２の外部に引き出されるようにするとよい。また、バスケットは開口２の奥側に接合されていてもよい。
【００５３】
上記の実施形態では、１つの操作部２２に対して、作動部２１及びリンク部材２３を左右一対設けた構成としたが、作動部２１及びリンク部材２３の数は１つや、３以上であってもよい。
【００５４】
また、上記の実施形態では、本発明のロック装置をグローブボックス１に適用した例について説明したが、本発明のロック装置は、システムキッチン等の家具や収納ボックスといった回動可能なリッドによって開口を閉じる様々な収納装置に適用することができる。
【符号の説明】
【００５５】
１…グローブボックス（収納装置）、２…開口、３…インストルメントパネル（支持体）、４…リッド、５…ロック機構、１１…表部材、１２…裏部材、１５…縁部、１７…ロック孔（係止部）、１８…リブ、１８Ａ…傾斜面、２１…作動部、２２…操作部、２３…リンク部材、２６…作動部ハウジング、２７…スライダ（力伝達手段）、２８…ロックピン（ロック部材）、２９…スライダ付勢部材（第２付勢部材）、３２…ピン孔、３３…スライダ孔、４４…スライダ側カム部（第１カム部）、４６…傾斜板、４７…スリット、５１…第１部材、５２…第２部材、５３…ピン付勢部材（第１付勢部材）、５４…係止片、５７…係止凸部、６１…操作部ハウジング、６２…レバー、６４…押圧片、６５…レバー付勢部材、６６…リンク付勢部材、６８…第１リンク側カム部、７１…第２リンク側カム部（第２カム部）、７２…カム面
【図１】
2015059312.tif 000003
【図２】
2015059312.tif 000004
【図３】
2015059312.tif 000005
【図４】
2015059312.tif 000006
【図５】
2015059312.tif 000007
【図６】
2015059312.tif 000008
【図７】
2015059312.tif 000009
【図８】
2015059312.tif 000010
【図９】
2015059312.tif 000011
【図１０】
2015059312.tif 000012
【図１１】
2015059312.tif 000013
【図１２】
2015059312.tif 000014
【図１３】
2015059312.tif 000015
【図１４】
2015059312.tif 000016
【図１５】
2015059312.tif 000017
【図１６】
2015059312.tif 000018
【図１７】
2015059312.tif 000019
【図１８】
2015059312.tif 000020